(57)【特許請求の範囲】
【請求項１】
高密度構内成端用光キャビネット内の複数分岐構造によるモジュールの各挿入部に設けられたキー溝に嵌合させるためのキー突起がツマミに突設されて成る成端用光コネクタプラグであって、前記キー突起の上端には、当該キー突起上面よりも面幅の広い板状で、且つ上面が滑り止め用の波状溝付きの単一の山型もしくは多連の山型のいずれかに形成された挿・抜操作部を一体形成して成ることを特徴とする成端用光コネクタプラグ。
【発明の詳細な説明】
【技術分野】
【０００１】
本発明は、高密度の構内成端用光キャビネット内の、例えば４分岐もしくは８分岐等のスプリッタモジュールや変換心線モジュール等に接続される成端用光コネクタプラグに関する。
【背景技術】
【０００２】
従来、成端用光ファイバの先端に組み立てられた光コネクタプラグは、図７、図８に示すように、高密度の構内成端用光キャビネット内に設けられているスプリッタモジュールＳＭにより２分岐以上の、例えば４分岐等の横配列となったＳＣコネクタ等に接続される。
【０００３】
このとき、二つの成端用光コネクタプラグＰを相互接続できるように、合成樹脂の成型品で成るスプリッタモジュールＳＭの両端には、光学軸が一致するようにして、一方の挿入部１ａと、他方の挿入部１ｂとをそれぞれ備えている。
【０００４】
スプリッタモジュールＳＭは、図６に示すように、上側壁と左右側壁と底壁とが一体に形成して成り、左右側壁の間には３つの仕切壁を介して四角筒状の４つの挿入部１ａ（１ｂ）が形成されている。また、この中央内部には各挿入部１ａ（１ｂ）に対応して４つのＳＣコネクタが配置され、上記した一方の挿入部１ａおよび他方の挿入部１ｂにおける接続用両開口端は水平方向にそれぞれ開口している。
【０００５】
また、各挿入部１ａ（１ｂ）における上側壁中央には、成端用光コネクタプラグＰ挿入時のガイドおよび安定保持のために、光軸方向に沿って直線溝条となったキー溝２がそれぞれ形成されている。
【０００６】
因みに、成端用光コネクタプラグＰの具体的な構成としては、周知のように、光ファイバ芯線が挿入固定されると共に、後端にフランジが圧入保持されるフェルールと、フランジ後端に当接しフェルールを前方に付勢するスプリングの後端を支持するストップリングと、これら各部材を覆うプラグフレームと、光ケーブルの抗張力線であるケブラを前記ストップリングに固定するカシメ座と、光ケーブルのケブラ外側を覆う合成樹脂外皮であるシースを前記カシメ座に固定するカシメリングと、前記ストップリングに装着されるブーツと、プラグフレームおよびストップリングの外側に被せられるツマミＱとから概ね構成されている。
【０００７】
そして、図５（ａ）、図５（ｂ）に示すように、ツマミＱの例えば上側壁の上面中央には、スプリッタモジュールＳＭの各挿入部１ａ（１ｂ）における接続用両開口端に設けられた前記キー溝２に嵌合させるための平面略縦長形状となったキー突起３が突設されている。
【特許文献１】特になし
【発明の開示】
【発明が解決しようとする課題】
【０００８】
しかしながら、従来においては、ツマミＱにはキー突起３以外は何等突出した操作部分が無いほぼ平坦な形状であることから、スプリッタモジュールＳＭの各挿入部１ａ（１ｂ）への挿入および抜脱に際しての操作性が非常に劣ったものになる。特に、高密度の構内成端用光キャビネット内の例えば４分岐もしくは８分岐等のスプリッタモジュールＳＭや変換心線モジュールＴＭ等に接続される場合には、各挿入部１ａ（１ｂ）に接続されている左右に隣接する成端用光コネクタプラグＰが互いに邪魔となることから、ツマミＱを介しての成端用光コネクタプラグＰの挿・抜操作が非常に行い難いものとなる。
【０００９】
そこで、本発明は、叙上のような従来存した諸事情に鑑み案出されたもので、高密度の構内成端用光キャビネット内の多数分岐構造による各種モジュールの各挿入部に成端用光コネクタプラグが接続していても隣同志が互いに邪魔とならずに、各成端用光コネクタプラグの挿・抜操作が容易に行えるものとした成端用光コネクタプラグを提供することを目的とする。
【課題を解決するための手段】
【００１０】
上述した課題を解決するため、本発明にあっては、高密度構内成端用光キャビネット内の複数分岐構造によるモジュールの各挿入部に設けられたキー溝に嵌合させるためのキー突起がツマミに突設されて成る成端用光コネクタプラグであって、前記キー突起の上端には、当該キー突起上面よりも面幅の広い板状で、且つ上面が滑り止め用の波状溝付きの単一の山型もしくは多連の山型のいずれかに形成された挿・抜操作部を一体形成して成ることを特徴とする。
【発明の効果】
【００１１】
本発明によれば、高密度の構内成端用光キャビネット内の多数分岐構造による各種モジュールの各挿入部に成端用光コネクタプラグが接続していても隣同志が互いに邪魔とならずに、各成端用光コネクタプラグＰの挿・抜操作が容易且つ迅速に行える。また、各挿入部の上側壁のキー溝に嵌合したキー突起を介して上方に露出した面幅の広い挿・抜操作部によって、成端用光コネクタプラグ自体をスプリッタモジュールに安定に保持させることができる。
【発明を実施するための最良の形態】
【００１２】
以下、図面を参照して本発明に係る成端用光コネクタプラグを実施するための最良の一形態を詳細に説明する。
成端用光ファイバの先端に組み立てられた成端用光コネクタプラグＰは、図２、図３、図４に示すような高密度の構内成端用光キャビネット内に設けられている各種のモジュールとして、例えばスプリッタモジュールＳＭである２分岐以上の例えば４分岐等の横配列となったＳＣコネクタ等に接続される。
【００１３】
尚、このスプリッタモジュールＳＭは、例えば８分岐の横配列、あるいは２分岐、４分岐、８分岐等の縦配列等となったＳＣコネクタを備えた構成であっても良い。また、スプリッタモジュールＳＭの他に変換心線モジュールＴＭであっても良い。
【００１４】
このとき、図２に示すように、二つの成端用光コネクタプラグＰを相互接続できるように、合成樹脂の成型品で成るスプリッタモジュールＳＭの両端には、光学軸が一致するようにして、一方の挿入部１ａと、他方の挿入部１ｂとをそれぞれ備えている。
【００１５】
すなわち、スプリッタモジュールＳＭは、図２に示すように、上側壁と左右側壁と底壁とが一体に形成して成り、左右側壁の間には３つの仕切壁を介して四角筒状の４つの挿入部１ａ（１ｂ）が形成されている。また、この中央内部には各挿入部１ａ（１ｂ）に対応して４つのＳＣコネクタが配置され、上記した一方の挿入部１ａおよび他方の挿入部１ｂにおける接続用両開口端はそれぞれ斜め上方向に向けて開口している。両挿入部１ａ、１ｂが水平方向へ開口していても良いことは勿論である。
【００１６】
また、図２、図３に示すように、各挿入部１ａ（１ｂ）における上側壁中央には、成端用光コネクタプラグＰ挿入時のガイドおよび安定保持のために、光軸方向に沿って直線溝条となったキー溝２が形成されている。
【００１７】
一方、成端用光コネクタプラグＰの具体的な構成としては、周知のように、光ファイバ芯線が挿入固定されると共に、後端にフランジが圧入保持されるフェルールと、フランジ後端に当接しフェルールを前方に付勢するスプリングの後端を支持するストップリングと、これら各部材を覆うプラグフレームと、光ケーブルの抗張力線であるケブラを前記ストップリングに固定するカシメ座と、光ケーブルのケブラ外側を覆う合成樹脂外皮であるシースを前記カシメ座に固定するカシメリングと、前記ストップリングに装着されるブーツと、プラグフレームおよびストップリングの外側に被せられるツマミＱとから概ね構成されている。
【００１８】
そして、ツマミＱの例えば上側壁の上面中央には、図１（ａ）、図１（ｂ）に示すように、スプリッタモジュールＳＭの各挿入部１における接続用両開口端に設けられた前記キー溝２に嵌合させるための平面略縦長形状となったキー突起３が突設され、当該キー突起３の上端には、面幅の広い矩形板状による挿・抜操作部４を一体形成してある。
【００１９】
挿・抜挿入操作部４は、その上面が例えば前後２連の山型状に若干隆起して成り、その隆起した上面全体には滑り止め用の波状溝４ａが形成されている。尚、この挿・抜操作部４の上面は単一の山型であったり、３連の山型であったりしても良い。
【００２０】
成端用光コネクタプラグＰをスプリッタモジュールＳＭのＳＣコネクタに接続する際には、図３および図４に示すように、ツマミＱのキー突起３上端の挿・抜操作部４の上面を手指で押さえながら、当該キー突起３をスプリッタモジュールＳＭの各挿入部１ａ（１ｂ）における接続用両開口端のキー溝２にスライド嵌合させる。したがって、各挿入部１ａ（１ｂ）の上側壁のキー溝２に嵌合したキー突起３を介して上方に露出した面幅の広い挿・抜操作部４によって、成端用光コネクタプラグＰ自体はスプリッタモジュールＳＭに安定に保持される。
【００２１】
このとき、他の成端用光コネクタプラグＰがスプリッタモジュールＳＭの各挿入部１ａ（１ｂ）に横配列となって接続されていても、挿・抜操作部４がキー突起３を介して上方に露出していることから、隣接する他の成端用光コネクタプラグＰによってその挿入操作に支障をきたさずに容易に挿入できるものとなる。接続中の成端用光コネクタプラグＰの抜脱操作するときも同様である。いずれの場合も挿・抜操作部４上面に設けられた波状溝４ａが滑り止めの役割を果す。
【図面の簡単な説明】
【００２２】
【図１】本発明を実施するための最良の形態における成端用光コネクタプラグの一例を示し、（ａ）は斜視図、（ｂ）は側面図である。
【図２】同じくスプリッタモジュールの一例を示す斜視図である。
【図３】同じくスプリッタモジュールに成端用光コネクタプラグを挿入する状態を示す斜視図である。
【図４】同じくスプリッタモジュールに成端用光コネクタプラグを挿入する状態を他の視線から見た状態の斜視図である。
【図５】従来例における成端用光コネクタプラグを示し、（ａ）は斜視図、（ｂ）は側面図である。
【図６】従来例におけるスプリッタモジュールを示す斜視図である。
【図７】従来例における成端用光コネクタプラグをスプリッタモジュールに挿入する状態を示す斜視図である。
【図８】従来例における成端用光コネクタプラグをスプリッタモジュールに挿入する状態を他の視線から見た状態の斜視図である。
【符号の説明】
【００２３】
Ｐ          成端用光コネクタプラグ
Ｑ          ツマミ
ＳＭ        スプリッタモジュール
ＴＭ        変換心線モジュール
１ａ、１ｂ  挿入部
２          キー溝
３          キー突起
４          挿・抜操作部
４ａ        波状溝
【図１】
0005248154.tif 000002
【図２】
0005248154.tif 000003
【図３】
0005248154.tif 000004
【図４】
0005248154.tif 000005
【図５】
0005248154.tif 000006
【図６】
0005248154.tif 000007
【図７】
0005248154.tif 000008
【図８】
0005248154.tif 000009